(57)【特許請求の範囲】
【請求項１】
上壁７１および下壁２２と左右の側壁２３、７２で画成されたカード受入空洞４０と、このカード受入空洞４０内に、上記上壁７１と下壁２２の間で一方の側壁２３に沿って移動可能に設置されたスライダ５０とを備えており、上記スライダ５０がカード受入空洞４０に挿入・抜去されるカード４１と共に移動するようにされているカード用コネクタ１０において、
上記スライダ５０が、カード４１の側面４５に形成された凹入部４６に突入して係合する突部５２を備えており、カード４１が逆方向に無理に挿入される時およびカード４１が無理に抜去される時に、上記突部５２の存在によって上記下壁２２と平行な面内で傾動するようにされていると共に、
上記下壁２２に、上記一方の側壁２３に沿ってスリット２５が形成されて、上記スライダ５０の傾動に応じて上記一方の側壁２３が外側に向って変形し易くしてあることを特徴とするカード用コネクタ。
【発明の詳細な説明】
【０００１】
【発明の属する技術分野】
この発明は、ＩＣカード、メモリーカード等のカード状媒体を挿入・抜去できるようにしたカード用コネクタに関する。
【０００２】
【従来の技術】
従来、携帯電話、ＰＤＡ（personal digital assistance）、デジタルカメラ等の電子機器では、ＳＩＭ（subscriber identity module）カード、ＭＭＣ  （multi media card）カード、ＳＤ（super density）カードなどのＩＣカードが用いられており、カードの挿入・抜去ができるようにしたカード用コネクタが電子機器に設置されている。
【０００３】
そして、このカード用コネクタには、カードが前後を逆方向にして挿入される誤挿入や、挿入されたカードが誤って抜かれる無理抜きを防止する機構が設けられている。例えば、特開２００１−１１８６３３号公報に開示されているように、上壁および下壁と左右の側壁で画成されたカード受入空洞内に、上記上壁と下壁の間で一方の側壁に沿って移動するようにしたスライダを設け、カードが正しく挿入されるとスライダとカードが係合して共にカード受入空洞内を移動するようにしている。
【０００４】
【発明が解決しようとする課題】
このように、スライダをカード受入空洞内に設けて、カードの誤挿入や無理抜きを防止できるようにしたものにおいても、なお、カードを誤挿入の状態で無理やり挿入したり、上記の無理抜きを無理やり行う強引な操作が行われる可能性は排除できなかった。カードを誤挿入の際に無理やり挿入しようとすると、上記スライダは斜めに傾動した状態でカード受入空洞内を移動することとなるので、上記一方の側壁を無理に変形させて破壊してしまうおそれが残っていた。またカードの無理抜きを無理やり行おうとすると、上記スライダは斜めに傾向した状態となり、カードのみが引き抜かれるが、やはり上記一方の側壁を無理に変形させて破壊してしまうおそれがある。
【０００５】
この発明は斯かる問題点に鑑みてなされたもので、カードを強引な操作で挿入されたり抜去されてスライダが傾動しても、スライダによって側壁が破壊されないようにしたカード用コネクタを提供することを目的としている。
【０００６】
【課題を解決するための手段】
即ちこの発明のカード用コネクタは、上壁および下壁と左右の側壁で画成されたカード受入空洞と、このカード受入空洞内に、上記上壁と下壁の間で一方の側壁に沿って移動可能に設置されたスライダとを備えており、上記スライダがカード受入空洞に挿入・抜去されるカードと共に移動するようにされているカード用コネクタにおいて、
上記スライダが、カードの側面に形成された凹入部に突入して係合する突部を備えており、カードが逆方向に無理に挿入される時およびカードが無理に抜去される時に、上記突部の存在によって上記下壁と平行な面内で傾動するようにされていると共に、
上記下壁に、上記一方の側壁に沿ってスリットが形成されて、上記スライダの傾動に応じて上記一方の側壁が外側に向って変形し易くしてあることを特徴とするカード用コネクタである。
【０００７】
以下に説明するこの発明の実施形態においては、上記下壁と一方の側壁は、上記カード受入空洞にコンタクト片を臨ませている端子が装着された絶縁ハウジングに一体に設けられている。また、上記スライダは、ハートカム溝が設けられて、上記上壁側から突出するピンと係合していると共に、カードの抜去方向に付勢されてプッシュ／プッシュ形式のイジェクト機構を構成している。
【０００８】
【作用】
このように、この発明のカード用コネクタでは、カード受入空洞を画成した側壁がスライダの傾動に応じて外側に向って変形し易くした構造であるので、カードの強引な挿入、抜去操作によって傾動するスライダで側壁が破壊されるのを防止することができる。
【０００９】
【発明の実施の形態】
以下、この発明の実施形態を添付の図を参照して説明する。
【００１０】
図１は、実施形態のカード用コネクタ１０の要部メタルシェル７０を取り外した状態を示している。絶縁ハウジング２０の端子装着部２１に複数の端子３０が装着されて、端子３０のコンタクト片３１がカード受入空洞４０に片持ち梁状態で臨んでおり、カード受入空洞４０に挿入されるカード４１の下面に設けられる接点（図示せず）と係合できるようにしている。
【００１１】
絶縁ハウジング２０には、端子装着部２１から下壁２２と側壁２３が一体となって延びてカード受入空洞４０を画成している。カード受入空洞４０内にはスライダ５０が側壁２３に沿って移動可能に設置されており、コイルスプリング６０でカード４１の抜去方向に付勢されている。スライダ５０の移動範囲は、端子装着部２１と、側壁２３に形成されたストッパ部２４の間に制限されている。
【００１２】
図１と共に図２〜６を参照してカード用コネクタ１０の構造を更に説明すると、絶縁ハウジング２０の上側にメタルシェル７０が被冠されて、絶縁ハウジング２０の全体を覆っている。メタルシェル７０は、断面コ字形に成形されており、頂板７１が絶縁ハウジング２０の下壁２２と対向している。また、一方の側板７２が絶縁ハウジング２０の側壁２３と対向している。即ち、カード受入空洞４０は、絶縁ハウジング２０の下壁２２および側壁２３と、メタルシェル７０の頂板７１でなる上壁および一方の側板７２でなる側壁によって画成されている。カード受入空洞４０の挿入口４２にはシャッタ４３が開閉可能に設けられている。
【００１３】
上記スライダ５０は、カード４１の挿入方向前端の一方の角部を形成しているＲ部４４に合致させて平面形状で内側面５１が形成されている。カード４１がカード受入空洞４０に挿入されてくると、カード４１に押されてスライダ５０もカード４１と共に挿入方向に移動するようにされ、また、スライダ５０がコイルスプリング６０に付勢されて抜去方向に移動すると、スライダ５０がカード４１を挿入口４２の方向に押し出すようにされている。
【００１４】
上記スライダ５０の内側面５１の一側には更に突部５２が設けられている。カード４１のＲ部４４がスライダ５０の内側面５１に納まると、図７、８に示したように、突部５２がカード４１の側面４５に、Ｒ部４４に隣接して設けられる凹入部４６に突入して係合するようにされている。
【００１５】
図１のように、カード受入空洞４０にカード４１を挿入して、図７、８のように、スライダ５０の突部５２がカード４１の凹入部４２に突入して係合するまでの過程で、突部５２はＲ部４４の側面に乗り上げることになり、スライダ５０は突部５２が設けられた後端側が側壁２３側に押し出されるように、下壁２２と平行な面内で傾動することになる。このため、側壁２３は、ストッパ部２４側が他の部分に比べて薄くされており、スライダ５０の外側面５３との間に傾動スペース５４が形成されるようにしてある。
【００１６】
傾動スペース５４を形成するために側壁２３のストッパ部２４側の部分が薄くされているのに対して、端子装着部２１側の部分は比較的厚くされて剛性が与えられており、カード４１と共に挿入方向に移動するスライダ５０は、外側面５３が側壁２３に案内されて傾動することなく真っ直ぐに端子装着部２１に向って移動するようにしてある。この比較的剛性が与えられた側壁２３のために、側壁２３が連続する下壁２２には、側壁２３に沿ってスリット２５が、下壁２２を貫通するように設けられている。下壁２２から立上る側壁２３の基部に接するようにしてスリット２５が形成されている。カード４１の挿入・抜去の方向におけるスリット２５の形成範囲は、一端が端子装着部２１に接しており、他端が端子装着部２１とストッパ部２４の略中央の位置まで延びている。
【００１７】
上記スライダ５０は、カード４１の抜去方向に付勢しているコイルスプリング６０と、上側面５５に形成したハートカム溝５６と、このハートカム溝５６に係合させたカムピン５７で、いわゆるプッシュ／プッシュ形式のイジェクト機構を構成している。即ち、カード４１をカード受入空洞４０の最奥部まで挿入して手を離すと、コイルスプリング６０の付勢力でスライダ５０が抜去方向に若干戻ってそこで停止し、再びカード４１を挿入方向に押し込むと、今度はコイルスプリング６０の付勢力でスライダ５０をストッパ部２４で停止される位置まで戻し、カード４１をカード受入空洞４０からイジェクトできるようになっている。上記カムピン５７は、丸棒をコ字形に成形したピン部材５８の一端に形成されているもので、他端の固定ピン５９を上記ストッパ部２４に形成した係合穴２６（図８，図１０参照）に差し込んで、カムピン５７がカード受入空洞４０の上壁から突出してハートカム溝５６と係合するようになっている。
【００１８】
図２に表れているように、上記ピン部材５８は、メタルシェル７０の頂板７１に打ち抜いて形成したばね板７３で押さえられて、カムピン５７がハートカム溝５６に向って付勢されている。メタルシェル７０を形成し、上記絶縁ハウジング２０の側壁２３の外側に添接する側板７４内にも同様のばね板７５が打ち抜いて形成されている。このばね板７５は、上記側壁２３の薄肉とした部分に対応するように設けられており、スライダ５０の突部５２を内側に付勢して、カード４１の凹入部４６へ確実に突入するようにしている。
【００１９】
以上のように構成されているカード用コネクタ１０の最も特徴的な部分は、絶縁ハウジング２０の下壁２２に形成したスリット２５の部分である。したがって、以下では、図７〜２０を参照して、カード受入空洞４０にカード４１が正しく挿入される場合、挿入されたカード４１が無理に抜去される場合およびカード４１の前後を逆にした誤挿入が無理に行われる場合について説明する。なお、図７〜２０において、図１０以外は説明の便宜上ピン部材５８（カムピン５７，固定ピン５９）を取り外した状態としている。
【００２０】
図７〜図１０は、カード４１が正しく挿入される場合を表している。図８は、図７のＡ部、即ち、スライダ５０の部分を拡大して示しており、図９、１０は、カード４１が挿入される過程の変化を表している。カード４１が正しく挿入されて、Ｒ部４４がスライダ５０の内側面５１に納まり、上記ばね板７５で付勢された突部５２が凹入部４６に突入して係合すると、スライダ５０の外側面５３と、絶縁ハウジング２０の側壁２３は略平行となる。そして、カード４１の挿入に従ってスライダ５０もカード４１と共に挿入方向に、側壁２３に負荷を与えることなく平行移動し端子装着部２１に当たって停止することになる。
【００２１】
図１１〜図１４は、上記のようにしてカード４１が正しく挿入されて、端子３０のコンタクト片３１とカード４１の接点が電気的に係合し、プッシュ／プッシュ形式のイジェクト機構のイジェクト動作も行われていない状態で、カード４１を無理に抜去方向へ引き抜こうとする場合を表している。このような無理な引き抜きが行われると、カード４１の凹入部４６に突入している突部５２が図１１のように脱出させられるので、スライダ５０は図において時計回りの方向に傾動する。スライダ５０がこのように傾動すると、スライダ５０の外側面５３に接している側壁２３の比較的肉厚の部分が外側に膨出する方向に変形することになる。絶縁ハウジング２０の下壁２２に形成したスリット２５は、このような側壁２３の変形を容易にしており、図１２に示してあるように、スリット２５のスリット幅の拡大を伴って側壁２３を変形させて、過大な負荷によって側壁２３が破壊されるのを防止している。カード４１が引き抜かれて、スライダ５０の突部５２が図１３、１４のように、カード４１のＲ部４４と対向するようになると、側壁２３は弾性で復帰すると共に、スライダ５０も復帰する側壁２３に押されて反時計回りの方向に傾動することになる。
【００２２】
図１５〜図２０は、カード４１が前後を逆にして無理に誤挿入される場合を表している。図１５、１６のように、カード４１を誤挿入すると、スライダ５０の突部５２がカード４１の側面４５ａに乗り上げることになるが、カード４１のこの側面４５ａには突部５２が突入できる凹入部は形成されていないので、スライダ５０は図において時計回りの方向に傾動した状態のまま、カード４１と共に挿入方向に図１７、１８の状態を経て図１９、２０の状態に移動することになる。したがって、傾動したスライダ５０の移動によって、絶縁ハウジング２０の側壁２３が図１９、２０に示したように、外側に膨出する方向に変形することになる。この場合の側壁２３の変形も、前記と同様で下壁２２に形成したスリット２５によって容易になっており図２０のようにスリット２５のスリット幅の拡大を伴って側壁２３を変形させて、側壁２３が過大な負荷で破壊されるのを防止している。
【００２３】
【発明の効果】
以上に説明の通り、この発明のカード用コネクタによれば、カード受入空洞を画成した下壁に、側壁に沿ってスリットを形成してスライダの傾動に応じて側壁が外側に向って変形し易くしたので、カードの誤挿入や無理抜きが強引に行われても側壁が破壊されるのを防止し、耐久性を向上できる効果がある。
【図面の簡単な説明】
【図１】この発明の実施形態のカード用コネクタの要部を示した斜視図である。
【図２】同じくカード用コネクタの平面図である。
【図３】同じくカード用コネクタの左側面図である。
【図４】同じくカード用コネクタの右側面図である。
【図５】同じくカード用コネクタの正面図である。
【図６】同じくカード用コネクタの背面図である。
【図７】実施形態のカード用コネクタにカードを正しく挿入した時の説明図で、スライダの突部がカードの凹入部に係合した時の図である。
【図８】図７のＡ部を拡大した図である。
【図９】図８の状態からカードとスライダを挿入方向に移動させた状態の図である。
【図１０】図９の状態からカードとスライダを最終の挿入位置まで移動させた状態の図である。
【図１１】図１０の状態からカードを無理に引き抜いた状態の図である。
【図１２】図１１のＢ部のスリットと側壁のみを示した図である。
【図１３】図１１の状態から更にカードを引き抜いた状態の図である。
【図１４】図１３のＣ部のスリットと側壁のみを示した図である。
【図１５】実施形態のカード用コネクタにカードを前後を逆にして誤挿入する時の説明図である。
【図１６】図１５のＤ部を拡大した図である。
【図１７】誤挿入のカードを更に挿入した状態の図である。
【図１８】図１７のＥ部のスリットと側壁のみを示した図である。
【図１９】誤挿入のカードを更に挿入してスライダを最終挿入位置まで移動させた状態の図である。
【図２０】図１９のＦ部のスリットと側壁のみを示した図である。
【符号の説明】
１０          カード用コネクタ
２０          絶縁ハウジング
２２          下壁
２３          側壁
２５          スリット
３０          端子
３１          コンタクト片
４０          カード受入空洞
４１          カード
４５          カードの側面
４６          凹入部
５０          スライダ
５２          突部
７０          メタルシェル
７１          頂板
７２          側板
【図１】
0003772788.tif 000002
【図２】
0003772788.tif 000003
【図３】
0003772788.tif 000004
【図４】
0003772788.tif 000005
【図５】
0003772788.tif 000006
【図６】
0003772788.tif 000007
【図７】
0003772788.tif 000008
【図８】
0003772788.tif 000009
【図９】
0003772788.tif 000010
【図１０】
0003772788.tif 000011
【図１１】
0003772788.tif 000012
【図１２】
0003772788.tif 000013
【図１３】
0003772788.tif 000014
【図１４】
0003772788.tif 000015
【図１５】
0003772788.tif 000016
【図１６】
0003772788.tif 000017
【図１７】
0003772788.tif 000018
【図１８】
0003772788.tif 000019
【図１９】
0003772788.tif 000020
【図２０】
0003772788.tif 000021